(57)【要約】      （修正有）【課題】簡単な構成とすることができると共に、被取付け装置への取付け高さ調整および転倒防止部材の定位置への移動が容易で操作性に優れたキャスター装置を提供する。【解決手段】キャスター装置１０は、キャスター１２および当該キャスター１２を支持する支持軸１２Ｂからなり、当該支持軸１２Ｂの一端部を上方に位置する被取り付け装置１００に取り付けて使用されるものであり、支持軸１２Ｂをネジ軸で構成すると共に支持軸１２Ｂに直接螺合する転倒防止部材１４を設け、この転倒防止部材１４は、キャスター１２を被いかつ開放端部が広がった断面逆Ｕ字形状に形成され、転倒防止部材１４の開放端部が設置面Ｍ当接可能となっている。【選択図】図２
2013147178.tif 000002
【特許請求の範囲】
【請求項１】
キャスターおよび当該キャスターを支持する支持軸からなり当該支持軸の一端部を上方に位置する被取り付け装置に取り付けて使用されるキャスター装置において、
前記支持軸をネジ軸で構成すると共に前記支持軸に直接螺合する転倒防止部材を設け、この転倒防止部材を、前記キャスターを被いかつ開放端部が広がった断面逆Ｕ字形状に形成すると共に前記開放端部が設置面に当接可能となっていることを特徴とするキャスター装置。
【請求項２】
請求項１に記載したキャスター装置において、
前記支持軸と転倒防止部材との間に、前記支持軸に螺合し上下方向に移動自在となった操作用回転部材を介在しかつ当該操作用回転部材に前記転倒防止部材を一体的に固着したことを特徴とするキャスター装置。
【請求項３】
請求項２に記載したキャスター装置において、
前記操作用回転部材の形状を、当該操作用回転部材の外周の上部に工具係合用の係合部を形成すると共に外周の下部に前記転倒防止部材を固着するフランジ部を形成したことを特徴とするキャスター装置。
【請求項４】
請求項３に記載したキャスター装置において、
前記係合部の形状を六角頭状に形成したことを特徴とするキャスター装置。
【請求項５】
請求項３または請求項４に記載したキャスター装置において、
前記操作用回転部材の前記フランジ部と前記転倒防止部材との取り付け位置関係を、
前記フランジ部の下面が前記キャスターに一体的に設けられているキャスター固定部材の上端面に当接したとき、前記フランジ部の下面から前記設置面までの寸法が前記キャスターの六角頭部の上端面から前記設置面までの寸法より大きい寸法となるように設定したことを特徴とするキャスター装置。
【請求項６】
請求項１ないし請求項５のいずれか一つに記載したキャスター装置において、
前記転倒防止部材の下端全周にわたって幅広の鍔部を形成したことを特徴とするキャスター装置。
【発明の詳細な説明】
【技術分野】
【０００１】
本発明は、キャスター装置に係り、詳しくは、高さ調整機能と転倒防止機能とを備えたキャスター装置に関する。
【背景技術】
【０００２】
従来、各種の移動用装置、移動用棚および運搬機器等に装備されたキャスターが多く用いられている。
一般に、キャスターは移動用等のために用いられており、所定位置に移動した後は、ストッパ機能等を作用させてその位置に設置されている。しかし、キャスターのみで装置等を所定位置に設置した場合、不安定であるため転倒するおそれが生じる。そこで、転倒防止対策が考えられている。
【０００３】
転倒防止対策が採られた一例として、図１０、図１１に示すような構成のキャスター装置１１０が知られている。
すなわち、被取付け装置１００の下面部に予め装備された複数のナット１０１に、キャスター１１２のネジ軸部１１２Ｂをそれぞれ螺合させて複数のキャスター１１２が装着されている。キャスター１１２の被取付け装置１００への取付けは、キャスター１１２のネジ軸部１１２Ｂをナット１０１に螺合させた後、キャスター１１２の六角頭部１１２Ｃを、キャスター１１２の高さ位置が決まるまでスパナ等の工具で回して行っている。
【０００４】
これに対して、各キャスター１１２の近傍には、ネジ軸部１１４Ｂの下端にフット１１３が一体化された転倒防止具１１４が、そのネジ軸部１１４Ｂの先端を前記複数のナット１０１にそれぞれ螺合させて取付けられている。
この転倒防止具１１４の被取付け装置１００への取付けは、転倒防止具１１４のネジ軸部１１４Ｂをナット１０１に螺合させた後、転倒防止具１１４の六角頭部１１４Ｃを、転倒防止具１１４の高さ位置が決まるまでスパナ等の工具で回して行っている。
【０００５】
また、以上に説明したキャスター装置とは別に、高さ調整が容易であり、転倒防止機能を有するキャスタ付きアジャスタが知られている（特許文献１参照）。
【０００６】
すなわち、図１２に示すように、上記特許文献１に開示されたキャスタ付きアジャスタ１２０は、キャスタ１２２と一体化された支軸１２２Ｂに、お椀形状の接床体１２４が軸支持ナット１２３を介して設けられており、また、支軸１２２Ｂの途中にナットで構成された回転操作部１２５を螺合させた構成となっている。回転操作部１２５は、ピン１２６を圧入することにより支軸１２２Ｂに固着されている。さらに、支軸１２２Ｂの上部にはロック用ナット１２７が螺合されている。
以上のような構成のキャスタ付きアジャスタ１２０では、接床体１２４を床から離す際は、軸支持ナット１２３に対して回転操作部１２５をスパナ等で回し、所定高さになるまでその作業を行っている。
また、装置１００の高さ調整は、軸支持ナット１２３を回転させることで支軸１２２Ｂの上部のネジ部をねじ込んで行っている。
【先行技術文献】
【特許文献】
【０００７】
【特許文献１】特開２００４−２４４０１０号公報
【発明の概要】
【発明が解決しようとする課題】
【０００８】
しかし、前記図１０，１１に示す従来のキャスターでは、複数のキャスター１１２の近傍に複数の転倒防止具１１４が設けられているので、被取付け装置１００の下方に実装スペースを多く必要とするという問題がある。
また、複数のキャスター１１２と複数の転倒防止具１１４とが限られたスペース内に接近して設けられているので、それぞれを操作する際にお互いが邪魔となり、作業に多くの時間がかかるという問題も生じている。
さらに、キャスター１１２の近傍に複数の転倒防止具１１４が設けられていることから、キャスター１１２による被取付け装置１００の移動時に、転倒防止具１１４が設置面上に配置されている他の装置等に干渉するおそれがあり、干渉した場合、転倒防止具１１４と他の装置等との双方、あるいはどちらかが破損する可能性がある。
【０００９】
さらに、前記特許文献１に開示されたキャスター装置では、接床体１２４を床から離す際、軸支持ナット１２３に対して回転操作部１２５を手で掴んでおいて支軸１２２Ｂを回し、所定高さになるまでその作業を行っているが、支軸１２２Ｂを回す作業は、支軸１２２Ｂがグリース等で保護されていることが多いので、作業がしづらい。その結果、操作が面倒で多くの時間がかかる、という問題があり、この問題は、接床体１２４を床に当接する際にも生じる。
また、回転操作部１２５を、支軸１２２Ｂにピン１２６を圧入して取り付けているため製作の手間が多くかかるうえ、ロック用ナット１２７も必要となっているので部品点数も多くなる、という問題も生じている。
【００１０】
本発明の目的は、上述した課題を解決するために、簡単な構成とすることができると共に、被取付け装置への取付け高さ調整および転倒防止部材の定位置への移動が容易で操作性に優れたキャスター装置を提供することである。
【課題を解決するための手段】
【００１１】
前記目的を達成するために、本願発明のキャスター装置は、キャスターおよび当該キャスターを支持する支持軸からなり当該支持軸の一端部を上方に位置する被取り付け装置に取り付けて使用されるキャスター装置において、
前記支持軸をネジ軸で構成すると共に前記支持軸に直接螺合する転倒防止部材を設け、この転倒防止部材を、前記キャスターを被いかつ開放端部が広がった断面逆Ｕ字形状に形成すると共に前記開放端部が設置面に当接可能となっていることを特徴とする。
【発明の効果】
【００１２】
本願発明のキャスター装置によれば、キャスター本体を構成するネジ軸からなる支持軸に、転倒防止部材を直接螺合させて設けたので、設置面に対する転倒防止部材の上下方向の移動、つまり定位置への移動が転倒防止部材を回すだけで可能となる。その結果、簡単な構成とすることができると共に、操作性に優れたキャスター装置とすることができる。
また、支持軸の一端部を、上方に位置する被取り付け装置に取り付けて支持軸を回せば、キャスター本体を被取り付け装置に取り付けることができるので、高さ調整も容易になる。
【図面の簡単な説明】
【００１３】
【図１】本発明に係るキャスター装置の一実施形態を示す全体側面図である。
【図２】図１におけるII−II線に沿った縦断面図である。
【図３】前記実施形態の転倒防止部材とキャスター本体との取付け部の関係を示す詳細図である。
【図４】前記実施形態の転倒防止部材取付け部の詳細を示す詳細図である。
【図５】図１の状態から転倒防止部材を上方に移動しキャスタで移動可能な状態を示す全体側面図である。
【図６】図５におけるVI−VI線に沿った縦断面図である。
【図７】本発明に係るキャスター装置の転倒防止部材の一つの変形形態を示す縦断面図である。
【図８】本発明に係るキャスター装置の転倒防止部材の他の変形形態を示す縦断面図である。
【図９】本発明に係るキャスター装置の転倒防止部材のさらに他の変形形態を示し、図９（Ａ）は截頭錐体形状の転倒防止部材、図９（Ｂ）は方えん体形状の転倒防止部材を示す斜視図である。
【図１０】従来例のキャスター装置を示す全体側面図である。
【図１１】図１０におけるXI−XI線に沿った縦断面図である。
【図１２】他の従来例のキャスター装置を示す全体側面図である。
【発明を実施するための形態】
【００１４】
以下に、図１〜図４を参照して、本発明に係るキャスター装置１０の一実施形態を詳細に説明する。
【００１５】
本発明のキャスター装置１０は、設置後の装置高さ調整を可能とする機能と、装置転倒防止の機能とを一体化したものである。
図１は、前記実施形態のキャスター装置が被取付け体である設備に装備された状態を示す全体側面図であり、図２はその断面図である。
【００１６】
図１，２に示すように、本実施形態のキャスター装置１０は、キャスター本体１２Ａおよび当該キャスター本体１２Ａを支持する支持軸１２Ｂからなり、当該支持軸１２Ｂの一端部を上方に位置する被取り付け装置１００に取り付けて使用されるものである。
そして、支持軸１２Ｂをネジ軸部で構成すると共に、支持軸１２Ｂに直接螺合する転倒防止部材１４が設けられており、この転倒防止部材１４が、キャスター本体１２Ａを被いかつ開放端部が広がった断面逆Ｕ字形状に形成され、その開放端部が設置面Ｍに当接可能となっている。
なお、被取り付け装置１００の下面の所定位置には、内部にメネジが切られたナット部材１０１が予め装備されている。
【００１７】
上記キャスター本体１２Ａとネジ軸部１２Ｂとは、例えば、市販されているストッパ付きねじ込み式自在車のねじ軸部を所定長さに形成したものが用いられている。ネジ軸部１２Ｂの下端部には、キャスター固定部材としての六角頭部１２Ｃが設けられており、この六角頭部１２Ｃにスパナ等の工具を係合させて一方向に回すことで、ネジ軸部１２Ｂを回転させることができる。
【００１８】
したがって、ネジ軸部１２Ｂの上端部を被取り付け装置１００の下面に装備されたナット部材５１に螺合させてネジ軸部１２Ｂを回転させることで、設置面Ｍに対して被取り付け装置１００の高さ調整が可能となる。
【００１９】
ネジ軸部１２Ｂの途中位置には、前記操作用回転部材１３を介して前記転倒防止部材１４が上下方向移動自在に設けられている。
すなわち、図４に詳細を示すように、転倒防止部材１４は操作用回転部材１３に一体的に設けられている。操作用回転部材１３は小径部と大径部とからなり、小径部には、スパナ等の工具の開口部が係合する係合部として、例えば六角頭部１３Ａが形成されている。
なお、係合部は、六角頭部１３Ａに限らず所定の二面幅としてもよい。二面幅とした場合、六角頭部１３Ａに比べて加工が容易である。
【００２０】
また、大径部は、転倒防止部材１４がその中心開口孔１４Ａを六角頭部１３Ａに挿通させた後に載置され、かつ溶接Ｆにより強固に固着されるフランジ部１３Ｂとなっている。
上記のように、転倒防止部材１４と操作用回転部材１３とが一体的に固着されているため、転倒防止部材１４がネジ軸部１２Ｂに直接螺合された状態である。
したがって、六角頭部１３Ａにスパナ等の工具を係合させて一方向に回すことで、前述のように、また、図４，５に示すように、ネジ軸部１２Ｂに対して転倒防止部材１４を上下方向に移動させることができる。
【００２１】
ここで、図３に示すように、操作用回転部材１３のフランジ部１３Ｂの下面と転倒防止部材１４の下端面との寸法をＬに設定し、この寸法Ｌを、キャスター本体１２Ａの六角頭部１２Ｃの上面とキャスター本体１２Ａの車輪部下面までの寸法Ｌ１より寸法Ｌ２の分だけ大きな寸法としてもよい。
このようにすれば、転倒防止部材１４が設置面Ｍに当接する際、操作用回転部材１３のフランジ部１３Ｂの下面がキャスター本体１２Ａの六角頭部１２Ｃの上面に当接するまで、操作用回転部材１３を回転させればよいので、位置決めが容易となる。
【００２２】
次に、図１，２および図４，５を参照して前記実施形態のキャスター装置１０の作用を説明する。
図１，２に示す状態は、キャスター装置１０の転倒防止部材１４の下端面が設置面Ｍに当接している状態であり、キャスター本体１２Ａのタイヤは設置面Ｍからわずかに浮いた状態である。つまり、被取り付け装置１００は、キャスター装置１０により所定位置に設置された状態である。
【００２３】
図１，２に示す状態から、転倒防止部材１４と一体的になっている操作用回転部材１３の六角頭部１３Ａに、スパナ等の工具を係合させて一方向に回していくと、図４，５に示すように、操作用回転部材１３および転倒防止部材１４がネジ軸部１２Ｂに沿って上方に移動し、転倒防止部材１４が設置面Ｍから離れる。
この際、操作用回転部材１３の六角頭部１３Ａをスパナ等で回す最初の作業をすれば、その後は、転倒防止部材１４を手で回すだけで上下方向の移動ができるので、作業が容易となり、作業時間の短縮を図ることができる。
【００２４】
転倒防止部材１４が所定位置まで上昇した時点で、被取り付け装置１００の高さを調整したい場合は、ネジ軸部１２Ｂの下端部に予め設けられている六角頭部１１Ａに、スパナ等の工具を係合させて一方向に回しネジ軸部１２Ｂを回転させて、被取り付け装置１００の下端面と設置面Ｍとの距離を測定し、所定の高さとなるまで、ネジ軸部１２Ｂを回転させればよい。
【００２５】
以上のような構成のキャスター装置１０によれば、次のような効果が得られる。
（１）キャスター１２を構成する支持軸１２Ｂに、操作用回転部材１３と一体的に固着された転倒防止部材１４を直接螺合させた状態で設けたので、設置面Ｍに対する転倒防止部材１４の上下方向の移動、つまり定位置への移動が転倒防止部材１４を回すだけで可能となる。その結果、簡単な構成とすることができると共に、操作性に優れたキャスター装置１０とすることができる。
この際、操作用回転部材１３の六角頭部１３Ａをスパナ等で回す最初の作業をすれば、その後は、転倒防止部材１４を手で回すだけで上下方向の移動ができるので、作業が容易となり、作業時間の短縮を図ることができる。
【００２６】
（２）支持軸１２Ｂの一端部を、上方に位置する被取り付け装置１００に取り付けて支持軸１２Ｂを回せば、キャスター１２を被取り付け装置１００に取り付けることができるので、高さ調整が容易である。
【００２７】
（３）転倒防止部材１４は、その上端面の下面が操作用回転部材１３のフランジ部１３Ｂの上面に載せられ、かつフランジ部１３Ｂに溶接Ｆにより強固に固着されている。その結果、転倒防止部材１４が支持軸１２Ｂに強固に固定された状態となり、転倒防止部材１４の下端部を設置面Ｍに当接させて被取り付け装置１００を所定位置に設置したとき、より安定した姿勢を維持することができる。
【００２８】
（４）操作用回転部材１３のフランジ部１３Ｂの下面と転倒防止部材１４の下端面との寸法がＬに設定され、この寸法Ｌは、キャスター本体１２Ａの六角頭部１２Ｃの上面とキャスター１２の車輪部下面までの寸法Ｌ１より寸法Ｌ２の分だけ大きな寸法になっているので、転倒防止部材１４を設置面Ｍに当接する際、操作用回転部材１３のフランジ部１３Ｂの下面がキャスター１２の六角頭部１２Ｃの上面に当接するまで、操作用回転部材１３を回転させればよいので、位置決めが容易となる。
【００２９】
以上、上記実施形態を参照して本発明を説明したが、本発明は上記実施形態に限定されるものではない。本発明の構成や詳細については、当業者が理解し得るさまざまな変更を加えることができる。また、本発明には、上記実施形態の構成の一部又は全部を相互に適宜組み合わせたものも含まれる。
【００３０】
例えば、前記実施形態では、転倒防止部材１４をお椀型に形成したが、これに限らず、図７に示すような形状の転倒防止部材２４としてもよい。
すなわち、この変形形態の転倒防止部材２４では、前記実施形態の転倒防止部材１４と同様の形状であるが、転倒防止部材２４の下端全周にわたって幅広の鍔部２４Ａを設け、この鍔部２４Ａを接地部としたものである。
なお、この変形形態において、前記実施形態と同一部材には同一符号を付してある。
このような変形形態によれば、前記（１）〜（４）と略同様の効果の他、次のような効果が得られる。
（５）転倒防止部材２４の下端部に鍔部２４Ａが設けられているので、接地面積が多くなり、より安定した設置が可能となる。
【００３１】
また、前記実施形態の転倒防止部材１４は操作用回転部材１３のフランジ部１３Ｂに固着され、操作用回転部材１３がネジ軸部１２Ｂに回転自在に螺合された構造となっているが、図８に示すように、転倒防止部材３４をネジ軸部１２Ｂに直接螺合するようにしてもよい。
すなわち、本変形形態では、転倒防止部材３４の上端面の一部を肉厚部３４Ａとし、この肉厚部３４Ａの径方向中心部にメネジ３４Ｂを切ると共に、このメネジ３４Ｂとネジ軸部１２Ｂとを螺合する構造となっている。
このような変形形態でも、前記（２）〜（４）と略同様の効果が得られる他、（６）前記実施形態の操作用回転部材１３が不要となるので、構造が簡単となり、省部材化を図ることができる。
【００３２】
また、前記実施形態の転倒防止部材１４の形状を、図９（Ａ）に示すような截頭錐体形状の転倒防止部材４４としてもよく、図９（Ｂ）に示すような方えん体形状の転倒防止部材５４としてもよい。要するに、転倒防止部材が、キャスター本体１２Ａを被いかつ開放端部が広がった断面逆Ｕ字形状に形成され、開放端部下端面が設置面Ｍに当接可能となったものであればよい。
このような転倒防止部材４４，５４によっても、前記（１）〜（５）と略同様の効果が得られる。
【００３３】
（付記１）
キャスターおよび当該キャスターを支持する支持軸からなり当該支持軸の一端部を上方に位置する被取り付け装置に取り付けて使用されるキャスター装置において、
前記支持軸をネジ軸で構成すると共に前記支持軸に直接螺合する転倒防止部材を設け、この転倒防止部材を、前記キャスターを被いかつ開放端部が広がった断面逆Ｕ字形状に形成すると共に前記開放端部が設置面に当接可能となっていることを特徴とするキャスター装置。
【００３４】
（付記２）
付記１に記載したキャスター装置において、
前記支持軸と転倒防止部材との間に、前記支持軸に螺合し上下方向に移動自在となった操作用回転部材を介在しかつ当該操作用回転部材に前記転倒防止部材を一体的に固着したことを特徴とするキャスター装置。
【００３５】
（付記３）
付記２に記載したキャスター装置において、
前記操作用回転部材の形状を、当該操作用回転部材の外周の上部に工具係合用の係合部を形成すると共に外周の下部に前記転倒防止部材を固着するフランジ部を形成したことを特徴とするキャスター装置。
【００３６】
（付記４）
付記３に記載したキャスター装置において、
前記係合部の形状を六角頭状に形成したことを特徴とするキャスター装置。
【００３７】
（付記５）
付記３または付記４に記載したキャスター装置において、
前記操作用回転部材の前記フランジ部と前記転倒防止部材との取り付け位置関係を、
前記フランジ部の下面が前記キャスターに一体的に設けられているキャスター固定部材の上端面に当接したとき、前記フランジ部の下面から前記設置面までの寸法が前記キャスターの六角頭部の上端面から前記設置面までの寸法より大きい寸法となるように設定したことを特徴とするキャスター装置。
【００３８】
（付記６）
付記１ないし付記５のいずれか一つに記載したキャスター装置において、
前記転倒防止部材の下端全周にわたって幅広の鍔部を形成したことを特徴とするキャスター装置。
【産業上の利用可能性】
【００３９】
本願発明は、各種の移動用装置、移動用棚および運搬機器等に利用できる。
【符号の説明】
【００４０】
１０  キャスター装置
１２  キャスター
１２Ａ  キャスター本体
１２Ｂ  ネジ軸部
１２Ｃ  六角頭部
１３  操作用回転部材
１３Ａ  六角頭部
１３Ｂ  フランジ部
１４  転倒防止部材
【図１】
2013147178.tif 000003
【図２】
2013147178.tif 000004
【図３】
2013147178.tif 000005
【図４】
2013147178.tif 000006
【図５】
2013147178.tif 000007
【図６】
2013147178.tif 000008
【図７】
2013147178.tif 000009
【図８】
2013147178.tif 000010
【図９】
2013147178.tif 000011
【図１０】
2013147178.tif 000012
【図１１】
2013147178.tif 000013
【図１２】
2013147178.tif 000014